(57)【要約】      （修正有）【課題】堆肥の有効利用を図ることによって農業産廃である動物糞の処理を促進できるだけでなく、植物が良好な生育を示す植木用容器（植木鉢、プランター、苗木用ポット）の提供を目的としている。【解決手段】バーク堆肥を５０体積％、ピートモスを１０体積％、真砂土を３０体積％、パーライトを１０体積％の割合で混合して用土を作り、この用土を用いて植木鉢用金型１１で植木鉢１を成形する。【選択図】図１
0003106690.tif 000002
【実用新案登録請求の範囲】
【請求項１】
少なくとも、動物糞を原料に含む堆肥、ピートモス、真砂土、パーライトが混合されている用土を用いて成形されていることを特徴とする植木用容器。
【請求項２】
前記堆肥が５０〜６０体積％の割合で混合されていることを特徴とする請求項１記載の植木用容器。
【請求項３】
前記堆肥の原料に、杉の樹皮が含まれていることを特徴とする請求項１または２記載の植木用容器。
【請求項４】
前記用土に、バーミキュライトが混合されていることを特徴とする請求項１〜３のいずれかに記載の植木用容器。
【請求項５】
前記用土に、瓦や陶磁器である植木鉢などの粉砕物が混合されていることを特徴とする請求項１〜４のいずれかに記載の植木用容器。
【請求項６】
少なくとも容器側面に、植えられた植物が、根を外方に向かって伸展できるような開口部が設けられていることを特徴とする請求項１〜５のいずれかに記載の植木用容器。
【考案の詳細な説明】
【技術分野】
【０００１】
本考案明は、堆肥を混合した用土で作られており、使用後は土壌として利用することができる植木用容器（具体的には、植木鉢、プランター、苗木用ポットを指す。）に関するものである。
【背景技術】
【０００２】
従来、牛や馬などを飼育している酪農場や、養鶏場や養豚場等の畜産施設から出る牛糞、馬糞、鶏糞、豚糞などの動物糞は、おがくずや稲藁などの副資材を混合したうえで長期間野積みしておくことにより、自然に醗酵・腐熟させて堆肥にし、それを天然の肥料として利用している。
【０００３】
また近年、資源循環型農業が推進されるようになり、動物糞を農作物の堆肥として活用することが盛んに行なわれているが、この反面、堆肥は野積みされた状態で保管されることが多いため、周辺の宅地化などによって悪臭や水質汚濁等が問題となり、酪農場や畜産施設等の環境改善が求められ、堆肥を長期間野積みしておくことができない状況になっている。
【０００４】
そこで、堆肥の利用を促進するための様々な方法が試みられており、その一例として、植木鉢の材料に利用することが提案されている（特許文献１参照）。
【０００５】
この堆肥を利用した植木鉢は、１リットルのおがくず、１リットルの間伐材や製材屑、８リットルの牛糞を混合して自然醗酵させた堆肥を、植木鉢形状の成形型を用いて圧縮成形したもので、植えた植物に対し植木鉢から栄養分を供給できるようになっている。しかも、時間が経過すると風化や微生物の分解等によって土壌の一部となるため、環境に与える負荷も少なくて済むというものである。また、こうして堆肥を有効利用できるため、農業産廃である動物糞の処理を促進することができるのである。
【特許文献１】特開平２００２−５３３８７号公報（第２〜５頁）
【考案の開示】
【考案が解決しようとする課題】
【０００６】
しかしながら、上記植木鉢は堆肥のみで作られているため植物を植えると、ちょうど過剰に施肥した場合と同じ状態になり、植物が肥料焼けを起こして枯れてしまう場合がある。
【０００７】
そこで本考案は、堆肥の有効利用を図ることによって農業産廃である動物糞の処理を促進できるだけでなく、植物が良好な生育状態を示す植木用容器の提供を目的としている。
【課題を解決するための手段】
【０００８】
上記の課題を解決するため請求項１に記載の植木用容器は、少なくとも、動物糞を原料に含む堆肥、ピートモス、真砂土、パーライトを混合した用土を用いて成形することを特徴としている。
【０００９】
この請求項１記載の植木用容器によれば、前記用土は、花や野菜等を育成する際に用いられている、いわゆる花野菜の土と同じような成分を有しているため、前記植木用容器に入れた土の肥料濃度が高くなるのを抑えることができ、植物が肥料焼けなどを起こして枯れたり生育不足になったりすることがない。
【００１０】
しかも栄養分を植木用容器から植物に供給できるようになるため、元肥が不要になるだけでなく、前記堆肥の有効利用を図ることができるため、前記堆肥の原料に含まれている動物糞の利用が進み、酪農場や畜産施設での動物糞の処理を促進することができる。
【００１１】
また前記堆肥の他にピートモスや真砂土、パーライトなどを混入させることで、保水性や通気性、排水性を兼ね備えた容器になる。
【００１２】
前記植木用容器は、使用後は、粉砕したり風化させたり、土中に埋めて微生物に分解させるなどして、作物の土壌として利用することができるので、環境に与える負荷も少なく、廃棄処分の手間も省くことができる。
【００１３】
この前記植木用容器は、植物を植えた状態で、従来使われている陶磁器やプラスチック製等の植木鉢やプランター、苗木用ポットなどに収容して使用することもできるし、花壇などの土に埋めて使用することもできる。このような場合、前記植木用容器から栄養分が供給されるため、元肥が不要となり施肥の手間を省くことができる。
【００１４】
なお前記植木用容器とは具体的に、植木鉢、プランター、苗木用ポットを指す。
【００１５】
請求項２に記載の植木用容器は、堆肥を５０〜６０体積％の割合で混合することを特徴としている。このような割合で前記堆肥を混合した前記用土を用いて成形すると、植木用容器に入れた土の肥料濃度を、植物の生育にとって良好な濃度にすることができる。
【００１６】
請求項３に記載の植木用容器は、堆肥の原料に杉の樹皮を加えることを特徴としている。このように繊維質に富む杉の樹皮を、前記堆肥の原料に加えることによって、前記堆肥は繊維質を多く含んだものとなり、前記植木用容器が型崩れしにくくなる。
【００１７】
請求項４に記載の植木用容器は、用土にバーミキュライトを混合することを特徴としている。このように通気性と保水性とを備えたバーミキュライトを前記用土に混合することで、前記植木用容器の通気性と保水性とを向上させることができる。
【００１８】
請求項５に記載の植木用容器は、用土に、瓦や陶磁器である植木鉢などの粉砕物を混合することを特徴としている。
【００１９】
このように、殺菌性を備えている瓦や陶磁器である植木鉢などの前記粉砕物を前記用土に混合することで、前記植木用容器に殺菌性を持たせることができ、害虫の発生を防ぐことができる。また、不要な瓦や植木鉢などの産業廃棄物を土壌として再利用できるようになる。
【００２０】
請求項６記載の植木用容器は、少なくとも容器側面に、植えられた植物が、根を外方
に向かって伸展できるような開口部を設けることを特徴としている。
【００２１】
このように前記植木用容器の少なくとも容器側面に前記開口部を設けることで、前記植木用容器を土中に埋めた場合、根が周囲の土壌に伸展し易くなるため、植物が定着し易くなるだけでなく、前記植木用容器の中で根がいっぱいに回ってしまうことを防止することができる。
【考案の効果】
【００２２】
上述のような手段をもって為される本考案の植木用容器は、植物が肥料焼けを起こす心配もなく、元肥を省略することができるため、手間をかけずに植物の育成状態を良好にすることができる。
【００２３】
また用土にバーミキュライトを混合したり、瓦や陶磁器である植木鉢などの粉砕物を混合させたりすることで、植木用容器の保水性や通気性を向上させたり、殺菌性を持たせて害虫の発生を防止したりすることによって、より生育状態の良いものに育てることができる。
【００２４】
また、少なくとも植木用容器の側面に開口部を設けることによって、植木用容器を土中に埋めた場合、根が植木用容器の周囲の土壌にも伸展し、植木用容器の中にいっぱいに回ることがないため、植物が定着し生育状態の良い植物を育成できる。
【００２５】
また本考案の植木用容器は、堆肥の有効利用を図ることにより、その原料となる動物糞利用を活発にすることができ、酪農場や畜産施設における動物糞の処理がスムーズに行なわれるようになり、酪農場や畜産施設などの環境改善を促すことができる。さらに使用後の植木用容器は作物の土壌として利用できるので、処分する手間を省けるだけでなく、廃棄処分に伴う環境への負担を軽減することができる。
【考案を実施するための最良の形態】
【００２６】
以下に、本考案にかかる植木用容器の実施形態について図１および２を参照しつつ説明する。
【００２７】
本実施形態の植木用容器を成形する用土に混合する堆肥は、チップ状の杉の樹皮、牛糞、かんな屑、食品残渣などを混合したものを野積みしておくことで自然に醗酵・腐熟させて作った牛糞その他の有機物入りのバーク堆肥である。
【００２８】
このバーク堆肥は、繊維質に富む杉の樹皮を用いているために、できた堆肥は繊維質を多く含んだものとなっている。
【００２９】
このように、繊維質に富む杉の樹皮を用いて植木用容器を型崩れしにくくしているが、別の方法として固化剤を用いることもできる。固化剤には、例えば法面の侵食を防止し緑化を図る際に使用されている法面侵食防止剤などを用いることができる。法面侵食防止剤であれば、用土とも良くなじみ、植物に対しても悪影響を与えないため好適である。当然ながら、杉の樹皮と固化剤とを併用することもできる。
【００３０】
なお、本実施形態の植木用容器は、動物糞として牛糞を使用しているが、牛糞に限らず馬糞や豚糞、鶏糞などを用いることもできる。
【００３１】
実施例１
バーク堆肥を５０体積％、ピートモスを１０体積％、真砂土を３０体積％、パーライトを１０体積％の割合で混合して用土を作る。植物性のピートモスは、保水性を有している。鉱物性の真砂土は、排水性・保水性・通気性に優れている。鉱物であるパーライトは軽くて、保水性に富んでいる。
【００３２】
このような配合で作った用土を、図１に示すように、プレス成形機１０にセットした植木鉢用金型１１に充填する。この金型は上下に２分割可能になっており、断面凹形状の下型１１ａと断面凸形状の上型１１ｂとが噛合うようになっていて、下型１１ａの内側面には、横断面が円形の植木鉢の外面形状が形成され、上型１１ｂの表面には、植木鉢の内面の形状が形成されている。このような金型１１を、下型１１ａを成形台上に固定する一方、上型１１ｂを、成形台の上方に配置されている昇降可能な上型保持部１２に固定して、プレス成形機１０にセットしている。
【００３３】
このようにセットした金型の下型１１ａに用土を充填した後、上型保持部１２を下降させて上型１１ｂと下型１１ａとを噛合わせることにより、用土を植木鉢形状に圧縮成形する。
【００３４】
そして上型保持部１２を上昇させて上型１１ｂを下型１１ａから外し、成形された植木鉢１（植木用容器）を下型１１ａから取り出す。
【００３５】
こうして成形された植木鉢１は、肥料分を含んでいないか、或は肥料分の少ない土を用いること以外は、通常の方法で使用することができる。栄養分は植木鉢から供給できるので、土の肥料濃度が高くなり過ぎないようにするためにも、用いる土はできるだけ肥料分の少ないものが好ましい。
【００３６】
また植木鉢１は、堆肥が繊維質を多く含んでるために型崩れしにくく、パーライトや真砂土、ピートモスなどを含んでいるため保水性、通気性、排水性に優れたものとなっている。
【００３７】
この植木鉢１は、使用後は作物の土壌として利用することができるので、畑などに埋めて微生物等に解させても良いし、粉砕して畑に蒔くなどしても良い。
【００３８】
また種を蒔いたり植木を植えたりした植木鉢１を、陶製やプラスチック製の植木鉢１’に収容して使用することもできるし（図２（ａ）参照）、花壇などに埋めて使用することもできる（図２（ｂ）参照）。花壇などに埋めて使用する場合には、植木鉢１の側面に小さな丸い開口部１ａを全周にわたって設け、根が植木鉢の外側の土壌に伸展し易いようにしておくと良い。こうすると、植木鉢の中いっぱいに根が回ることを防止できるため、植物の生育状態を良好に保てるようになる。
【００３９】
実施例２
バーク堆肥、ピートモス、真砂土、パーライト、バーミキュライト、不要になった陶磁器の植木鉢および屋根瓦の粉砕物を混合して用土を作る。鉱物であるバーミキュライトは軽くて、通気性・保水性に優れている。
【００４０】
この用土を用いて、実施例１と同様に植木鉢を成形する。できた植木鉢は、用土にバーミキュライトを加えているため、より保水性と通気性とに優れたものとなっている。また殺菌性のある陶磁器の植木鉢や屋根瓦の粉砕物を混合したことで、植木鉢が殺菌性を有し害虫が発生しにくくなっている。
【００４１】
これらのことから、より育成状態の良い植物を得ることができる。しかも不要になった陶磁器の植木鉢や屋根瓦などの産業廃棄物を、作物の土壌としてリサイクルし廃棄物を有効に活用することができる。
【００４２】
実施例３
バーク堆肥６リットル（６０体積％）、ピートモス１リットル、真砂土と赤玉土の混合土２リットル、パーライト１リットルを混合して用土を作る。鉱物性の赤玉土は、通気性・保水性が良い。
【００４３】
この用土に、侵食防止剤として用いられている特殊ウレタン樹脂組成物である固化剤（栗田工業（株）製  商品名：クリコートＷ−６２０）の原液を２０倍に希釈したものを混合し、実施例１と同様にして植木鉢を成形する。
【００４４】
こうしてできた植木鉢は、より生育状態の良い植物を得ることができるし、固化剤によ
り型崩れしにくく長期間の使用が可能となる。
【００４５】
上述したように、堆肥を混合した用土で植木鉢を成形することで、堆肥の有効利用を図り、延ては堆肥の原料としている動物糞の処理を促進しているが、これをさらに促進するために、例えば植物を支える支柱を本考案の用土を用いて成形することもできる。
【００４６】
以上、実施例１〜３では植木鉢を成形した場合について説明したが、金型を取替えることによってプランターや苗木用ポットを成形することもできる。
【図面の簡単な説明】
【００４７】
【図１】本考案にかかる植木用容器（植木鉢）の形成方法の一例を示す説明図である。
【図２】（ａ），（ｂ）はいずれも、本考案にかかる植木用容器（植木鉢）の使用状態の一例を示す説明図で、（ａ）は従来の植木鉢に収納した状態を示し、（ｂ）は花壇の土に埋めた状態を示している。
【符号の説明】
【００４８】
１      植木鉢（植木用容器）
１ａ    開口部
１’    植木鉢
１１    金型
１１ａ  下型
１１ｂ  上型
１２    上型保持部
【図１】
0003106690.tif 000003
【図２】
0003106690.tif 000004